(57)【特許請求の範囲】
【請求項１】
飲料を収容するための開口部を有する容器本体と、
前記容器本体の開口部を覆うように配置されるベース部と、
前記容器本体内の飲料を排出するための飲み口部と、
前記容器本体内の陽圧を解消するための陽圧開放部と、
前記容器本体内の陰圧を解消するための陰圧開放部と、を有し、
前記飲み口部には、前記陽圧開放部及び前記陰圧開放部が一体に形成されると共に、前記飲み口部は、前記ベース部に着脱可能に配置され、
前記飲み口部には、前記ベース部から前記飲み口部を離脱させる際に、使用者が操作する離脱用操作部を有し、
前記飲み口部と前記ベース部には、それぞれ、前記飲み口部を前記ベース部の配置領域に案内するための飲み口部側案内部とベース部側案内部が形成されており、
前記飲み口部は前記容器本体の底面側に外側に向かって広がるように形成される円弧状のフランジ部を有し、
該フランジ部が第１フランジ部と該第１フランジ部より幅の狭い第２フランジ部とを有し、
前記飲み口部側案内部が、前記第１フランジ部と前記第２フランジ部との境界部分に前記第１フランジ部を切り欠くように形成された一対の切り欠き部であり、
前記ベース部側案内部が、前記ベース部から前記容器本体側に向かって突出して形成されるとともに両端部に一対の壁端部を有する壁部であり、
前記飲み口部を前記ベース部に装着する際に、前記一対の切り欠き部が前記一対の壁端部に合わせて配置されることを特徴とする飲料容器。
【請求項２】
前記飲み口部は、前記ベース部から外側に突出するように配置される飲み口部側ストロー部を有すると共に、前記飲み口部側ストロー部は、前記ベース部から斜め方向に突出して配置されており、
前記壁部が、前記ベース部のうち、前記飲み口部側ストロー部の突出方向側に配置されていることを特徴とする請求項１に記載の飲料容器。
【請求項３】
前記飲み口部側ストロー部は、前記容器本体内に配置される容器本体側ストロー部と連結可能な構成となっており、
前記飲み口部側ストロー部の内部空間の断面積は、前記容器本体側ストロー部の内部空間の断面積より小さく形成されていることを特徴とする請求項２に記載の飲料容器。
【発明の詳細な説明】
【技術分野】
【０００１】
本発明は、飲料を内部に収容し得る飲料容器に関するものである。
【背景技術】
【０００２】
従来、例えば、乳幼児等が飲料を飲む際に用いるトレーニングコップ等の飲料容器は、乳幼児等が飲料を飲み易くするためのストロー等を有している。
また、このような飲料容器は持ち運ぶときに、このストローから飲料が漏れ出すことを防止するために、ストローを塞ぐように配置することが可能な蓋等を有している。
そして、飲料容器の使用者が、内部に温かいミルク等の飲料を入れて持ち運ぶと、内部の温度が外気より高いため、圧力が高まり（陽圧）、蓋を開けてストローを使用しようとすると、内部の温かいミルク等が噴出するおそれがあった。
また、内部に冷たい飲料を入れて持ち運ぶ場合にも、当該飲料が常温になるに従い圧力が高まり（陽圧）、同様に飲料が噴出するおそれがあった。
【０００３】
また、使用者がストローで内部のミルクを飲む際に、内部が陰圧（負圧）となり飲み難くなるおそれもあった。
このため、従来の飲料容器には、ストローとは別に、ミルク等の噴出を防ぐ通気口と、陰圧の解消する通気弁が配置されている（例えば、特許文献１）。
また、飲料容器の使用中は、内部のミルク等が漏れないように、蓋によって、この通気口のみを閉塞させる構成ともなっている。
【先行技術文献】
【特許文献】
【０００４】
【特許文献１】特許第５１００３９２号公報（図２等）
【発明の概要】
【発明が解決しようとする課題】
【０００５】
しかし、このような飲料容器は、ストロー等の飲み口部と、通気口及び通気弁を別々に配置しているため、使用者等が飲料容器を洗浄等するとき、それぞれ別々に取り外さなければならず、洗浄等に手間が掛かるという問題あった。
また、通気口及び通気弁のユニットは密閉性を保持する必要があるため取り外し難いという問題もあった。
さらに、洗浄等の後、通気口及び通気弁のユニットを取り付けるとき、これらの位置が逆になるように配置すると、使用者が内部の飲料を飲むとき内部の陽圧を解消する通気口等が開状態となり、内部の飲料が漏れるおそれがあり問題であった。
【０００６】
そこで、本発明は、使用者が洗浄等をし易く、かつ、部品の取り付け方向を間違うことがない飲料容器を提供することを目的とする。
【課題を解決するための手段】
【０００７】
前記目的は、本発明によれば、飲料を収容するための開口部を有する容器本体と、前記容器本体の開口部を覆うように配置されるベース部と、前記容器本体内の飲料を排出するための飲み口部と、前記容器本体内の陽圧を解消するための陽圧開放部と、前記容器本体内の陰圧を解消するための陰圧開放部と、を有し、前記飲み口部には、前記陽圧開放部及び前記陰圧開放部が一体に形成されると共に、前記飲み口部は、前記ベース部に着脱可能に配置され、前記飲み口部には、前記ベース部から前記飲み口部を離脱させる際に、使用者が操作する離脱用操作部を有し、前記飲み口部と前記ベース部には、それぞれ、前記飲み口部を前記ベース部の配置領域に案内するための飲み口部側案内部とベース部側案内部が形成されており、前記飲み口部は前記容器本体の底面側に外側に向かって広がるように形成される円弧状のフランジ部を有し、該フランジ部が第１フランジ部と該第１フランジ部より幅の狭い第２フランジ部とを有し、前記飲み口部側案内部が、前記第１フランジ部と前記第２フランジ部との境界部分に前記第１フランジ部を切り欠くように形成された一対の切り欠き部であり、前記ベース部側案内部が、前記ベース部から前記容器本体側に向かって突出して形成されるとともに両端部に一対の壁端部を有する壁部であり、前記飲み口部を前記ベース部に装着する際に、前記一対の切り欠き部が前記一対の壁端部に合わせて配置されることを特徴とする飲料容器により達成される。
【０００８】
前記構成によれば、飲み口部には、陽圧開放部及び陰圧開放部が一体に形成されると共に、飲み口部は、ベース部に着脱可能に配置されているので、使用者は、洗浄等の際、飲み口部を着脱すれば足り、飲み口部と別に陽圧開放部や陰圧開放部を着脱する必要がなく、洗浄等における手間を軽減させることができる。
また、飲み口部には離脱用操作部が形成されているので、操作者が飲み口部をベース部から外すときに外し易い構成となっている。
さらに、飲み口部とベース部には、それぞれ飲み口部側案内部とベース部側案内部が形成されているので、使用者は、飲み口部をベース部に装着するとき、その配置位置を間違えることがない、このため、陽圧開放部や陰圧開放部を逆に配置すること等も防ぐことができ、飲料容器が誤動作等することを未然に防ぐことができる。
【０００９】
好ましくは、前記飲み口部は、前記ベース部から外側に突出するように配置される飲み口部側ストロー部を有すると共に、前記飲み口部側ストロー部は、前記ベース部から斜め方向に突出して配置されており、前記壁部が、前記ベース部のうち、前記飲み口部側ストロー部の突出方向側に配置されていることを特徴とする。
【００１０】
前記構成によれば、使用者が飲み口部側ストロー部の先端側を口腔内に配置し、かつ、飲料容器を自己に向けて傾け、これにより、容器本体内の飲料がベース部側案内部に接しても、この壁部により、飲み口部との接触部分等が覆われているため、飲み口部とベース部との間に飲料が入り込むことを未然に防止することができる。
【００１１】
好ましくは、前記飲み口部側ストロー部は、前記容器本体内に配置される容器本体側ストロー部と連結可能な構成となっており、前記飲み口部側ストロー部の内部空間の断面積は、前記容器本体側ストロー部の内部空間の断面積より小さく形成されていることを特徴とする。
【００１２】
前記構成によれば、飲み口部側ストロー部の内部空間の断面積は、容器本体側ストロー部の断面積より小さく形成されている。容器本体内に外気温度より高い温度となっている飲料等を収容したときは、外気との温度差等により容器本体内の飲料が容器本体側ストロー部から飲み口部側ストロー部に向かって逆流する現象が発生する。
しかし、前記構成では、例えば、容器本体側ストロー部の内部空間の内径が、飲み口部側ストロー部の内部空間の内径より小さく形成され、これにより、容器本体側ストロー部の内部空間の断面積が、飲み口部側ストロー部の内部空間の断面積より大きく形成されている。このため、かかる現象の発生を抑制することができる。
【発明の効果】
【００１３】
本発明は、使用者が洗浄等をし易く、かつ、部品の取り付け方向を間違うことがない飲料容器を提供できるという利点がある。
することを目的とする。
【図面の簡単な説明】
【００１４】
【図１】飲料容器である例えば、トレーニングコップを示す概略図である。
【図２】図１のコップ本体を示す概略図である。
【図３】飲み口ユニットを装着したベース部をコップ本体に配置し、本体側ストローを備えた状態の構成を示す概略断面図である。
【図４】フード部が矢印Ｒ方向に沿ってベース部上をスライド移動し、ベース部の上面を開状態にした状態を示す概略図である。
【図５】図３及び図４の飲み口ユニットを示す概略斜視図である。
【図６】図４に示す飲み口ユニットの概略平面図である。
【図７】図５に示す飲む口ユニットの概略側面図である。
【図８】図１のベース部の下面側（コップ本体側）を示す概略図である。
【図９】ベース部の装着用開口に飲み口ユニットを挿入、配置した状態をベース部の下面側（コップ本体側）から示す概略図である。
【図１０】ベース部の装着用開口に飲み口ユニットを挿入、配置した状態をベース部の上面側（フード部側）から示す概略図である。
【図１１】ベース部の上面側（フード部側）を示す概略図である。
【図１２】フード部の下面側（ベース部側）を示す概略図である。
【図１３】フード部の閉状態維持用凸部等とベース部との関係を示す概略説明図である。
【図１４】図１のトレーニングコップのフード部、飲み口側ストロー及びベース部等の関係を示す概略断面図である。
【図１５】図４のトレーニングコップのフード部、飲み口側ストロー及びベース部等の関係を示す概略断面図である。
【発明を実施するための形態】
【００１５】
以下、この発明の好適な実施の形態を添付図面等を参照しながら、詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１６】
図１は、飲料容器である例えば、トレーニングコップ１を示す概略図である。このトレーニングコップ１は、乳幼児等が飲料を飲む練習等をするためのコップである。
トレーニングコップ１は、図１に示すように、乳幼児等が飲む飲料である例えば、ミルクを収容するための容器本体である例えば、コップ本体５０を有する。
コップ本体５０は、図２に示すように、有底で上端に開口部である例えば、コップ本体開口部５１を有し、全体が略円筒形を成し、その開口部の直径が底部の直径より大になるように形成されている。図２は、図１のコップ本体５０を示す概略図である。
コップ本体５０の開口部５１の周囲には、図２に示すように、後述するベース部３０を螺合させるための雄ねじ５２が形成されている。
【００１７】
また、このコップ本体５０のコップ本体開口部５１側には、この開口を塞ぐように着脱可能に構成されているベース部３０が配置されている。
このベース部３０は、平面側から見て、全体が略円形を成すように形成されていると共に、その両側には、乳幼児等の使用者が把持するための２つのハンドル３１ａ、３１ｂが形成されている。
このハンドル３１ａ、３１ｂは、それぞれ、乳幼児等がつかみ易いように、コップ本体５０から離間する方向に突出すると共に、やや湾曲した形状となっている。
【００１８】
また、このベース部３０の上部には、図１に示すように、フード部１０が形成され、フード部１０は、ベース部３０の上面に沿って、スライド移動可能な構成となっている。具体的には、フード部１０は、図１の矢印Ｒ方向に沿ってスライド移動可能な構成となっている。
また、このベース部３０には、コップ本体５０内に収容されるミルク等を飲むために、その一端側を口腔内に挿入する飲み口部側ストロー部である例えば、飲み口側ストロー６１を有する飲み口部である例えば、飲み口ユニット６０が形成されている。
また、コップ本体５０には、この飲み口側ストロー６１と連通状態で、飲み口ユニット６０に接続可能な容器本体側ストロー部である例えば、本体側ストロー７０が配置される。
【００１９】
図３は、飲み口ユニット６０を装着したベース部３０をコップ本体５０に配置し、本体側ストロー７０を備えた状態の構成を示す概略断面図である。
図３に示すように、コップ本体５０内に収容されたミルクは、本体側ストロー７０及び飲み口側ストロー６１を介して、乳幼児等の口腔内に供給される構成となっている。
この本体側ストロー７０は、図３に示すように、その中間部分が屈曲され、略くの字状に形成されている。この屈曲方向は、図３に示すように、その下端が飲み口側ストロー６１の突出方向と同様の方向となっている。
したがって、乳幼児等の使用者がコップ本体５０内のミルク等の飲料を飲む際、飲み口側ストロー６１をくわえて、トレーニングコップ１を傾けたとしても、本体側ストロー７０の下端部分は、コップ本体５０内で減少し、その液面が低下するミルクに最後まで接触することができ、乳幼児等は、ミルクを残らず最後まで飲むことを容易に行うことができる。
【００２０】
図４は、フード部１０が矢印Ｒ方向に沿ってベース部３０上をスライド移動し、ベース部の上面を開状態にした状態を示す概略図である。
図４に示すように、フード部１０を移動させると、飲み口側ストロー６１が露出し、この飲み口側ストロー６１によって乳幼児等がコップ本体５０内のミルクを飲むことができる構成となっている。
ところで、図１に示すようにフード部１０がベース部３０を覆っている状態（閉状態）では、図４に示す飲む口側ストロー６１が、ベース部３０とフード部１０の間に挟まるように配置され、飲み口側ストロー６１の開口部分が潰されて配置される。
したがって、コップ本体５０内にミルクを収容した状態でも、フード部１０を閉めることで、乳幼児等の保護者がトレーニングコップ１を持ち運んでも、コップ本体５０内のミルクが漏れることがない構成となっている。この構成の詳細については、後述する。
【００２１】
図５は、図３及び図４の飲み口ユニット６０を示す概略斜視図である。
図５に示すように、飲み口ユニット６０は、飲み口側ストロー６１を有していると共に、その飲み口側ストロー６１の基端側には、略ドーム状の飲み口基部６２を有している。
すなわち、飲み口基部６２が、飲み口側ストロー６１を支持する構成となっている。
また、この飲み口基部６２には、コップ本体５０内の陽圧を解消するための陽圧開放部である例えば、通気孔６３が形成されている。
すなわち、コップ本体５０内に温かいミルクを収容し、図１に示すようにフード部１０が閉状態で、保護者等がトレーニングコップ１を持ち運ぶと、コップ本体５０内の空気が熱せられ、コップ本体５０内の圧力が外気より高くなる。
【００２２】
また、コップ本体５０内に冷たいミルクを収容した場合には、当該ミルクが常温になるに従い、コップ本体５０内の圧力が外気より高くなる。
この状態で、フード１０を図４に示すように開状態にすると、外気と連通する図３の飲み口側ストロー６１からコップ本体５０内のミルクが噴出するおそれがある。
そこで、本実施の形態では、コップ本体５０内のかかる圧力の上昇を解消し、飲み口側ストロー６１からミルクが噴出するのを防ぐために通気孔６３が形成されている。
【００２３】
また、図５に示すように、飲み口ユニット６０には、コップ本体５０内の陰圧（負圧）を解消するための陰圧開放部である例えば、通気弁６４が形成されている。
すなわち、図４に示す状態で、乳幼児等が飲み口側ストロー６１を口腔内に入れてコップ本体５０内のミルクを飲むときは、後述するように、コップ本体５０内のミルクが漏れ出ないように、上述の通気孔６３は閉状態となるため、コップ本体５０内は密閉状態となる。
この状態で、乳幼児等がミルクを飲み、コップ本体５０内のミルクの量が減少するとコップ本体５０内の圧力が下がり、外気に比べ陰圧となり、ミルクが飲み口側ストロー６１を介して排出され難い状態となる。
そこで、本実施の形態では、コップ本体５０内の陰圧を解消する通気弁６４が形成されている。この通気弁６４は逆止弁となっており、コップ本体５０内に空気を導入する方向にのみ弁が開き、コップ本体５０内から排出する方向では弁が閉まる構成となっている。
したがって、乳幼児等が飲み口側ストロー６１を介してミルクを飲んでいるときでも、ミルクが漏れ出ることがない構成となっている。
【００２４】
このように本実施の形態では、図５に示す飲み口基部６２に、飲み口側ストロー６１、通気孔６３及び通気弁６４が一体に形成されている。このため、保護者等がトレーニングコップ１を洗浄等するため飲み口ユニット６０を取り外し、その後、再装着するときも、一つの飲み口ユニット６０を脱着すれば足り、従来のように、飲み口側ストロー６１と通気孔６３等を別々に脱着する必要がないので、極めて扱い易いトレーニングコップ１となっている。
【００２５】
また、図５に示すように、飲み口ユニット６０は、飲み口基部６２の基端側（底面側）に外側に向かって広がるように形成される円弧状の２種類のフランジ部を有している。すなわち、図５及び図６に示すように、その幅が広い幅広フランジ部６６と、この幅広フランジ部６６より幅の狭い幅狭フランジ部６７である。
そして、これら幅広フランジ部６６と幅狭フランジ部６７との境界部分には、幅広フランジ部６６を切り欠くようにして形成された飲み口部側案内部である例えば、フランジ切り欠き部６６ａ、６６ｂが配置されている。
図６は、図４に示す飲み口ユニット６０の概略平面図である。
図５及び図６に示すように、フランジ切り欠き部６６ａ、６６ｂは、略Ｌ字状となっている。
【００２６】
図７は、図５に示す飲む口ユニット６０の概略側面図である。
図６及び図７に示すように、飲み口側ストロー６１は、飲み口基部６２から斜め方向に突出するように形成され、その突出方向は、フランジ部６６が形成されていない方向に向かって配置されている。
また、図７に示すように、飲み口側ストロー６１の飲み口基部６２の上面に対する傾きθは、例えば、４５°となっている。
【００２７】
ところで、図８は、図１のベース部３０の下面側（コップ本体５０側）を示す概略図である。
図８に示すように、ベース部３０の略中央部には、図５に示す飲み口ユニット６０を挿入し、配置する開口である装着用開口３２ａが形成されている。そして、この装着用開口３２ａの周囲には、飲み口ユニット６０を装着用開口３２ａに挿入、配置したときに、飲み口ユニット６０の図５に示す幅広フランジ部６６及び幅狭フランジ部６７が配置されるフランジ配置部３２ｃが形成されている。
このフランジ配置部３２ｃは、装着用開口３２ａの周囲に形成される突状部材となっており、その上面は平滑な面となっている。そのため、幅広フランジ部６６及び幅狭フランジ部６７がフランジ配置部３２ｃに配置されると、これらがフランジ配置部３２ｃに密着される構成となっている。
【００２８】
また、図８に示すように、フランジ配置部３２ｃの一部には、ベース部側案内部である例えば、下面側壁部３２ｂがフランジ配置部３２ｃ上から起立するように突出して形成されている。
そして、この下面側壁部３２ｂの両端部には、図８に示すように２つの壁端部３２ｂａ、３２ｂｂが形成されている。
また、ベース部３０の下面側には、ベース部３０とコップ本体５０との密着性を高め、コップ本体５０内のミルクの漏出を防止するパッキン３６が配置され、このパッキン３６は着脱可能な構成となっている。
【００２９】
本実施の形態のトレーニングコップ１は、以上のように構成されているため、保護者等が飲み口ユニット６０をベース部３０に装着する際に、飲み口ユニット６０の幅狭フランジ部６７をベース部３０の下面側壁部３２ｂに沿って配置させると共に、２つのフランジ切り欠き部６６ａ、６６ｂを、それぞれベース部３０の２つの壁端部３２ｂａ、３２ｂｂに合わせて配置することで、飲み口ユニット６０を適切な位置に正確に位置決めすることができる構成となっている。
【００３０】
図９は、ベース部３０の装着用開口３２ａに飲み口ユニット６０を挿入し、配置した状態をベース部３０の下面側（コップ本体５０側）から示す概略図である。
また、図１０は、ベース部３０の装着用開口３２ａに飲み口ユニット６０を挿入し、配置した状態をベース部３０の上面側（フード部１０側）から示す概略図である。
飲み口ユニット６０を図９に示すように装着用開口３２ａに配置させると、図１０に示すように、飲み口側ストロー６１も適切な位置に配置され、通気孔６３及び通気弁６４の位置も後述のように適正に動作可能な位置に配置させることができる。
また、図７の飲み口側ストロー６１の向きも必ず適切な向きに配置される。
【００３１】
すなわち、保護者等は、飲み口ユニット６０の幅広フランジ部６６、幅狭フランジ部６７及びフランジ切り欠き部６６ａ、６６ｂを、ベース部３０の下面側壁部３２ｂ及び壁端部３２ｂａ、３２ｂｂに合わせて配置させるだけで良く、従来のように飲み口側ストロー６１、通気孔６３及び通気弁６４のそれぞれの位置が適切に配置されたか否かを考慮する必要がない。このため、これらを間違った配置とすることがなく、これらの部品の誤動作等を未然に防ぐことができる。
また、保護者等は、飲み口側ストロー６１、通気孔６３及び通気弁６４のそれぞれの位置が適切に配置されたか否かを確認する必要がないため、これらの部品を極めて装着しやすいトレーニングコップ１となっている。
【００３２】
また、乳幼児等が図３に示すトレーニングカップ１を用いてコップ本体５０内のミルクを飲むとき、飲み口側ストロー６１を口腔内に配置し、コップ本体を、飲み口側ストロー６１が傾いている側に傾ける動作を行う。このときのミルクの状態を示したのが図３の斜線部分である。
図３のように、ミルクの液面等がベース部３０と飲み口ユニット６０との接触部分に達する場合があり、この接触部分にミルクが入り込み漏れ出すおそれがある。
この点、本実施の形態では、ミルクの液面等が接触し易い側（飲み口側ストロー６１が傾いている側（突出方向の一例）に下面側壁部３２ｂが形成され、この下面側壁部３２ｂが突出し、図３及び図９に示すように飲み口ユニット６０を広範囲にカバーするように配置される。
したがって、乳幼児等がコップ本体５０を傾けてミルクを飲んでもミルクがベース部３０と飲み口ユニット６０の間の接触部分等に入り込むのを効果的に抑制することができる。
【００３３】
また、本実施の形態では、図３に示すように、飲み口側ストロー６１のミルクが通過する内部空間の直径Ｌ１が、本体側ストロー７０の内部空間の直径Ｌ２と異なる径となっている。
すなわち、コップ本体５０内にミルクを収容したとき、特に温かいミルクを収容したときで、乳幼児等がコップ本体５０内のミルクを、飲み口側ストロー６１等を介して飲むときは、コップ本体５０内のミルクが漏れ出さないように、後述するように通気孔６３は閉状態となっている。
このため、コップ本体５０内のミルクが温かいとコップ本体５０内の圧力が高まり、ミルクが本体側ストロー７０から飲み口側ストロー６１へ移動するという事態が発生する可能性がある。この場合、ミルクが飲み口側ストロー６１から漏れるおそれもある。
【００３４】
このような現象を回避するには、本体側ストロー７０と飲み口側ストロー６１の内径を大きくし、それぞれの本体側ストロー７０と飲み口側ストロー６１の断面積を大きくすることが、最も好ましい対策となる。
しかし、飲み口側ストロー６１の内径を大きくすると、乳幼児等がミルクを飲み難くなるという問題がある。
そこで、本実施の形態では、本体側ストロー７０と飲み口側ストロー６１の内径を異なる構成としている。すなわち、飲み口側ストロー６１の内径Ｌ１は、大きくせず、乳幼児等が飲み易い内径としつつ、本体側ストロー７０の内径Ｌ２を大きくし、これにより本体側ストロー７０の断面積を大きくし、ミルクの所謂、逆流を防ぐ構成となっている。
【００３５】
例えば、飲み口側ストロー６１の内部空間が楕円形で、その内径が０．４ｃｍと０．６ｃｍの場合、本体側ストロー７０の内径を１ｃｍ程度とすることが考えられる。
このように、本実施の形態では、本体側ストロー７０を飲み口側ストロー６１の内径より大きくし、断面積を大きくすることで、コップ本体５０内のミルクの逆流を防ぐと共に、乳幼児等が飲み易い飲み口側ストロー６１等となっている。
【００３６】
また、本実施の形態では、図１０に示すように、飲み口ユニット６０の飲み口基部６２の上面側に離脱用操作部である例えば、操作部６５が形成されている。この操作部６５は、通気孔６３、通気弁６４及び飲み口側ストロー６１で囲まれた領域に形成されるとともに、やや高くドーム状に形成される。
このため、操作部６５は、保護者等が操作し易い位置及び形状となっている。したがって、保護者等が洗浄等のためベース部３０から飲み口ユニット６０を取り外すときは、この操作部６５を押し込むだけで飲み口ユニット５０をベース部３０から取り外すことができる。
そのため、従来と異なり、飲み口側ストロー６１、通気孔６３及び通気弁６４を別々に取り外す必要がなく、極めて取り外し易い構成となっている。また、操作部６５は、操作し易い配置位置及び形状となっているので、保護者等にとって操作し易いという特徴を有している。
【００３７】
また、図１１は、ベース部３０の上面側（フード部１０側）を示す概略図である。図１０及び図１１に示すように、ベース部３０に形成された装着用開口３２ａの一方側（飲み口ユニット６０が装着されたときに、飲み口側ストロー６１の傾き方向と反対側の飲み口ユニット６０の部分）には、上面側壁部３３が形成されている。
このため、図１０に示すように、ベース部３０に装着された飲み口ユニット６０の上面側をベース部３０に確実に保持させることができる構成となっている。
【００３８】
一方、ベース部３０には、飲み口ユニット６０が配置され、図１に示すように、フード部１０がベース部３０を覆うように配置されたとき、フード部１０とベース部３０の間に配置される飲み口側ストロー６１の内部空間を閉塞させるためのベース部側突起部３４が形成されている。
【００３９】
図１２は、フード部１０の下面側（ベース部３０側）を示す概略図である。
図１２に示すように、フード部１０の下面側には、フード部１０がベース部３０上をスライド移動することで、図１０に示すベース部３０に装着された飲み口ユニット６０の通気孔６３を閉塞させるための突起部である第１通気孔閉塞用突起１２と第２通気孔閉塞用突起１３を有している。
これら第１通気孔閉塞用突起１２と第２通気孔閉塞用突起１３は、所定間隔を設けて別個に形成されており、いずれも平面は略楕円形となっている。
通気孔６３を閉塞するために第１通気孔閉塞用突起１２と第２通気孔閉塞用突起１３を設けた理由は後述する。
【００４０】
また、フード部１０の下面側には、図１０に示すように配置される飲み口ユニット６０の通気弁６４を閉塞するための突起部である通気弁閉塞用突起１１が形成されている（図１２参照）。この通気弁閉塞用突起１１の平面も略楕円形と成っている。
さらに、フード部１０の下面側には、図１０に示されるベース部側突起部３４と共に飲み口側ストロー６１の内部空間を潰し、閉塞させるフード部側ストロー用突起部１４が形成されている。
このフード部側ストロー用突起部１４は、２つのフード部側ストロー用突起部１４ａ、１４ｂを有し、これらの間に図１０のベース部側突起部３４を配置させ、その際に飲み口側ストロー６１を挟み込むことで、飲み口側ストロー６１の内部空間を確実に閉塞させることができる構成となっている。
【００４１】
また、図１２に示すように、フード部１０の下面側には、ベース部３０上をスライド移動するフード部１０を図１の閉状態の位置で固定するための閉状態維持用凸部１６ａ、１６ｂが２カ所形成されている。
また、フード部１０を図４に示す開状態の位置で固定するための開状態維持用凹部１５ａ、１５ｂが２カ所形成されている。
【００４２】
図１３は、フード部１０の閉状態維持用凸部１６ａ等とベース部３０との関係を示す概略説明図である。
図１３に示すように、ベース部３０には、移動制御突起３５ａ、３５ｂが２カ所形成され、これら移動制御突起３５ａ、３５ｂが、閉状態維持用凸部１６ａ、１６ｂ又は開状態維持用凹部１５ａ、１５ｂに選択的に係合することで、フード部１０を図１の閉状態又は図４の開状態に固定することができる構成となっている。
【００４３】
したがって、保護者等は、フード部１０を図１の閉状態又は図４の開状態に容易に配置し、固定させることができる。
なお、フード部１０は、その開状態維持用凹部１５ａ、１５ｂとベース部３０の移動制御突起３５ａ、３５ｂとの係合を超えてさらに開方向に移動させることで、ベース部３０から取り外すことが可能な構成となっている。
【００４４】
次いで、図１及び図４等に示すベース部３０上におけるフード部１０のスライド移動と通気孔６３及び通気弁６４等との関連について説明する。
図１４は、図１のトレーニングコップ１のフード部１０、飲み口側ストロー６１及びベース部３０等の関係を示す概略断面図である。また、図１５は、図４のトレーニングコップ１のフード部１０、飲み口側ストロー６１及びベース部３０等の関係を示す概略断面図である。
【００４５】
本実施の形態では、保護者等が、図１に示すトレーニングコップ１のコップ本体５０内に温かいミルクを収容し、バッグ等に入れて持ち運ぶ例を用いて説明する。
保護者等が、コップ本体５０内にミルクを収容したときは、その後、飲み口ユニット６０を装着したベース部３０をコップ本体５０のコップ本体開口部５１を塞ぐように装着する。さらに、ベース部３０上に形成されたフード部１０を図４に示す位置から図１に示す位置へスライド移動させる。
このとき、フード部１０の図１２に示す閉状態維持用凸部１６ａ、１６ｂが、ベース部３０の図１３に示す移動制御突起３５ａ、３５ｂと係合させることで、フード１０を確実に閉状態で固定、維持することができる。
この係合に際し、閉状態維持用凸部１６ａ、１６ｂと移動制御突起３５ａ、３５ｂとの間の接触等を保護者等は手の触覚で感じることができるので、フード部１０が適切に係合したか否かを確認することができる。
【００４６】
この閉状態では、図１４に示すように飲み口側ストロー６１が、ベース部３０とフード部１０の間に配置されると共に、上述のようにベース部１０のフード部側ストロー用突起部１４とベース部３０のベース部側突起部３４によって挟まれる。このため、飲み口側ストロー６１の内部空間は押し潰され、確実に閉塞される。
したがって、コップ本体５０内のミルクが飲み口側ストロー６１から漏れ出すことを確実に防止することができる。
【００４７】
また、図１０等に示す飲み口ユニット６０の通気孔６３及び通気弁６４は、図１２に示すフード部１０の第１通気孔閉塞用突起１２及び通気弁閉塞用突起１１によって、図１４に示すように、その開口が閉塞される。
このため、コップ本体５０内のミルクが通気孔６３及び通気弁６４から漏れ出すことも確実に防止することができる。
したがって、保護者等はミルクを収容したトレーニングコップ１を安心してバッグ等に入れて持ち運ぶことができる。
【００４８】
次いで、保護者等がトレーニングコップ１内のミルクを乳幼児等に飲ませるときについて説明する。
バッグ等から取り出したトレーニングコップ１のフード部１０を操作し、図１の閉状態から図４の開状態へスライド移動させる。
このとき、先ず、図１４等に示すように、通気孔６３及び通気弁６４の開口側を塞いでいた第１通気孔閉塞用突起１２及び通気弁閉塞用突起１１が移動して、通気孔６３及び通気弁６４の閉塞が開放される。
このとき、コップ本体５０内に収容されたミルクが温かくコップ本体５０内の圧力が高まり陽圧となっているときは、その圧力は通気孔６３から開放される。
したがって、コップ本体５０内の温かいミルクが飲み口側ストロー６１から噴出し、乳幼児等に触れるという事態の発生を未然に防ぐことができる。
【００４９】
次いで、保護者等が更にフード１０を開状態に向けて移動させると図１５及び図４に示す状態（開状態）となる。
このとき、飲み口側ストロー６１は、フード部１０とベース部３０との間から開放されて、乳幼児等がその先端を口腔内に配置可能な位置となる。
また、図１２の第２通気孔閉塞用突起１３が、既にコップ本体５０内の陽圧を開放した通気孔６３を塞ぐように配置される。
このため、乳幼児等がトレーニングコップ１を揺らしても、通気孔６３からミルクが漏れ出すことを未然に防ぐことができる。
【００５０】
一方、通気弁６４は、閉塞されておらず、開放状態となっている。このため、乳幼児等が、飲み口側ストロー６１でミルクを飲むことで、コップ本体５０内が陰圧（負圧）となると、通気弁６４が作用し、外気を導入することで、円滑に陰圧を解消することができる。
したがって、保護者等がコップ本体５０内のミルクを飲み難くなるという事態の発生も未然に防ぐことができる。
【００５１】
本発明は、上記実施形態に限定されず、特許請求の範囲を逸脱しない範囲で種々の変更を行うことができる。
【符号の説明】
【００５２】
１・・・トレーニングコップ、１０・・・フード部、１１・・・通気弁閉塞用突起、１２・・・第１通気孔閉塞用突起、１３・・・第２通気孔閉塞用突起、１４・・・フード部側ストロー用突起部、１４ａ、１４ｂ・・・フード部側ストロー用突起部、１５ａ、１５ｂ・・・開状態維持用凹部、１６ａ、１６ｂ・・・閉状態維持用凸部、３０・・・ベース部、３１ａ、３１ｂ・・・ハンドル、３２ａ・・・装着用開口、３２ｂ・・・下面側壁部、３２ｂａ、３２ｂｂ・・・壁端部、３２ｃ・・フランジ配置部、３３・・・上面側壁部、３４・・・ベース部側突起部、３５ａ、３５ｂ・・・移動制御突起、３６・・・パッキン、５０・・・コップ本体、５１・・・コップ本体開口部、６０・・・飲み口ユニット、６１・・・飲み口側ストロー、６２・・・飲み口基部、６３・・・通気孔、６４・・・通気弁、６５・・・操作部、６６・・・幅広フランジ部、６６ａ、６６ｂ・・・フランジ切り欠き部、６７・・・幅狭フランジ部、７０・・・本体側ストロー
【図１】
0006480165.tif 000002
【図２】
0006480165.tif 000003
【図３】
0006480165.tif 000004
【図４】
0006480165.tif 000005
【図５】
0006480165.tif 000006
【図６】
0006480165.tif 000007
【図７】
0006480165.tif 000008
【図８】
0006480165.tif 000009
【図９】
0006480165.tif 000010
【図１０】
0006480165.tif 000011
【図１１】
0006480165.tif 000012
【図１２】
0006480165.tif 000013
【図１３】
0006480165.tif 000014
【図１４】
0006480165.tif 000015
【図１５】
0006480165.tif 000016